(57)【要約】【課題】災害時に和式便器が応急的に使用できるようにした汚物受け具を得る。【解決手段】保形機能を有するプラスチックシートにより、和式用便器（１）の便器主体（２）の内面及び縁部上面を覆うフランジ（７）付きの容器主体（６）と、前記和式用便器（１）の便器頭部（３）内に嵌合する前部容器（８）とを一体に形成してなる汚物受け容器（５）を設け、前記汚物受け容器（５）の内面を覆う可撓性の汚物回収袋（１０）を、該汚物受け容器（５）に着脱可能に設け、前記汚物回収袋（１０）内に吸水材（１１）を設ける。【選択図】図５
0003137930.tif 000002
【実用新案登録請求の範囲】
【請求項１】
保形機能を有するプラスチックシートにより、和式用便器（１）の便器主体（２）の内面及び縁部上面を覆うフランジ（７）付きの容器主体（６）と、前記和式用便器（１）の便器頭部（３）内に嵌合する前部容器（８）とを一体に形成してなる汚物受け容器（５）を設け、前記汚物受け容器（５）の内面を覆う可撓性の汚物回収袋（１０）を、該汚物受け容器（５）に着脱可能に設けたことを特徴とする和式便器用汚物受け具。
【請求項２】
汚物回収袋（１０）内に吸水材（１１）を設けたことを特徴とする請求項１記載の和式便器用汚物受け具。
【考案の詳細な説明】
【技術分野】
【０００１】
本考案は、地震等の災害で使用できなくなった和式便器が応急的に使用できるようにした和式便器用汚物受け具に関するものである。
【背景技術】
【０００２】
従来の技術として、ネットまたは布帛により上面が開口した袋主体を設け、該袋主体の開口縁部に伸縮ゴム（または紐）を取付け、前記袋主体を洋式便器内に嵌合させるとともにその開口縁部を洋式便器の便座又は便器の縁部に被せ、該開口縁部を前記伸縮ゴムで洋式便器の便座又は便器の縁部に締結してなる汚物受け具があった。
【０００３】
前記従来のものは、洋式便器には適用できるが、便座がなく、しかも便器の縁部が床面から突出していない和式便器には使用することができないものであった。
【特許文献１】登録実用新案公報第３０１７３９４号
【考案の開示】
【考案が解決しようとする課題】
【０００４】
本考案は、災害時に和式便器が応急的に使用できるようにした汚物受け具を得ることを目的とする。
【課題を解決するための手段】
【０００５】
本考案は、上記目的を達成するために以下の如く構成したものである。即ち、請求項１に係る考案は、保形機能を有するプラスチックシートにより、和式用便器の便器主体の内面及び縁部上面を覆うフランジ付きの容器主体と、前記和式用便器の便器頭部内に嵌合する前部容器とを一体に形成してなる汚物受け容器を設け、前記汚物受け容器の内面を覆う可撓性の汚物回収袋を、該汚物受け容器に着脱可能に設ける構成にしたものである。
請求項２に係る考案は、前記汚物回収袋内に吸水材を設けたものである。
【考案の効果】
【０００６】
本考案の請求項１に係る考案は、汚物受け容器を和式用便器に嵌合させると、その容器主体が便器の便器主体の内面及び排水口を覆い、前部容器が便器の便器頭部の内面を覆い、容器主体のフランジが便器の縁部に係止して汚物受け容器を和式用便器内に安定して位置決めすることになる。また、汚物受け容器は保形機能を有するので、該汚物受け容器内に汚物回収袋を嵌合させて拡開すると、該汚物回収袋が浅い容器状になるとともに、前部が前方に向かって凹み、この部が小便の跳ね返りを防止することになる。また、汚物回収袋を可撓性資材により形成したので、排便物を円滑に受け止めるとともに、該排便物を容易に回収することができる。
請求項２に係る考案は、吸水材が汚物回収袋に排泄された排便物の水分を吸水し、回収時に排便物が汚物回収袋から不用意に逸脱しなくなる。
【考案を実施するための最良の形態】
【０００７】
以下本考案の実施例を図面に基づいて説明する。図において、図１は本考案の実施例を示す汚物受け容器及び和式便器の斜視図、図２は汚物受け容器の便器への取付け状態を示す断面図、図３は図２のIII-III 断面図、図４は汚物回収袋の折畳み、拡開状態を示す斜視図、図５は汚物回収袋の便器への取付け状態を示す断面図、図６は図５のVI-VI 断面図である。
【０００８】
図１おいて、１は陶器製の和式便器、５はプラスチック製の汚物受け容器である。和式便器１は図１（ｂ）に示すように、上面が開口した容器状の便器主体２、及び便器主体２の前部にて上方に突出する後面が開口した容器状の便器頭部３を一体に有する。前記便器主体２は前後に細長い浅い容器状に形成され、前部側の底部に排水口２ａを有し、また、上部周縁にフランジ状の縁部２ｂを有する。
【０００９】
５汚物受け容器５は、図１（a ）に示すように、比較的硬質のポリエチレン、ポリプロピレン等のプラスチックシートを真空成形してなり、容器主体６及び前部容器８を一体に有する。容器主体６は、図２、図３に示すように、前記便器主体２内に嵌合させてその内面に沿う如く、前後に細長い浅い容器状に形成されるとともに、上部周縁に、前記便器主体２の縁部２ｂの上面に当接するフランジ７を有する。また、前部容器８は、前記容器主体６の前壁６ａの上縁に屈曲可能に連結され、図２に示すように、前記便器頭部３内に嵌合してその内面に沿う容器状に形成される。
【００１０】
前記汚物受け容器５内に、可撓性のシートにより形成された汚物回収袋１０を嵌合させる。該汚物回収袋１０は、閉じた際には、図４（ａ）に示すように、前部が高くかつ後部が低い異形長方形状に形成され、開いた際には、図４（ｂ）に示すように、前部が深くかつ後部が浅い異形容器状となって前述した汚物受け容器５内に嵌合可能となっている。１１は前記汚物回収袋１０内に着脱可能に収容した吸水材（吸水シート）１１である。
【００１１】
前記汚物回収袋１０は、図５、図６に示すように、拡開して汚物受け容器５内に嵌合させるとともに、その周縁部１０ａを外向きに折り曲げて容器主体６の周縁部７及び便器頭部３の周縁部に重ねる。
【００１２】
前記実施例によれば、汚物受け容器５を和式用便器１に嵌合させると、その容器主体６が便器主体２に嵌合してその内面及び排水口２ａを覆うとともに、前部容器８が便器頭部３に嵌合してその内面を覆う。同時に容器主体６のフランジ７が便器１の縁部２ｂに係止して汚物受け容器５を和式用便器１内に安定して位置決めすることになる。また、汚物受け容器５は保形機能を有するので、該汚物受け容器５内に汚物回収袋１０を嵌合させて拡開すると、該汚物回収袋１０が汚物受け容器５の内面に沿って浅い容器状になるとともに、前部が前方に向かって凹み、この部が小便の跳ね返りを防止することになる。
【００１３】
前記汚物回収袋１０は可撓性資材により形成されているので、排便物を円滑に受け止めるとともに、該排便物を容易に回収することができる。この場合、前記汚物回収袋１０に吸収材１１が収容されているので、該吸収材１１が汚物回収袋１０に排泄された排便物の水分を吸水し、回収時に排便物が汚物回収袋１０から不用意に逸脱しなくなる。そして、新規の汚物回収袋１０を前記汚物受け容器５内に嵌合させて拡開することによって、新たな使用者が順次排便することができ、不使用となった和式便器１を応急的に使用することができる。
【図面の簡単な説明】
【００１４】
【図１】本考案の実施例を示す汚物受け容器及び和式便器の斜視図である。
【図２】汚物受け容器の便器への取付け状態を示す断面図である。
【図３】図２のIII-III 断面図である。
【図４】汚物回収袋の折畳み、拡開状態を示す斜視図である。
【図５】汚物回収袋の便器への取付け状態を示す断面図である。
【図６】図５のVI-VI 断面図である。
【符号の説明】
【００１５】
１    和式用便器
２    便器主体
２ａ  排水口
３    便器頭部
５    汚物受け容器
６    容器主体
６ａ  前壁
７    フランジ
８    前部容器
１０    汚物回収袋
１０ａ  周縁部
１１    吸水材
【図１】
0003137930.tif 000003
【図２】
0003137930.tif 000004
【図３】
0003137930.tif 000005
【図４】
0003137930.tif 000006
【図５】
0003137930.tif 000007
【図６】
0003137930.tif 000008